(57)【要約】【課題】既設の建造物の表面を研磨する。【解決手段】被加工面を覆う形状の透明カバーが被加工面を覆って、電解液空間形成する。前記透明カバーの周縁と被加工面との間は封止手段で液密に封止する。網状の電極（網電極）が前記電解液空間に当該透明カバーおよび被加工面との間に間隙を保って配設され、また、網状の絶縁板が前記電極の被加工面側に配設される。電解液注入口および排出口が前記透明カバーのいずれかの位置に設けられ、更に、通気口が外気と連通するように前記透明カバーに設けられる。この透明カバーは固定手段で被加工面に固定される。前記固定手段は、平面または曲平面の前記被加工面の被加工域近辺に吸着する吸着盤を利用することができる。【選択図】図１
2015127439.tif 000002
【特許請求の範囲】
【請求項１】
被加工面との間に電解液空間を保って、当該被加工面を覆う透明カバーと、
当該透明カバーの周縁と被加工面との間を液密に封止する封止手段と、
前記電解液空間に当該透明カバーおよび被加工面との間に間隙を保って配設した網状の電極と、
前記電極の被加工面側に配設された網状の絶縁板と、
透明カバーのいずれかの位置に設けた、電解液注入口および排出口と、
前記透明カバーに設けた外気と連通する通気口と
前記透明カバーを被加工面に固定する固定手段と
を備えたことを特徴とする部分電解研磨治具。
【請求項２】
前記透明カバーが、端部に前記電解液空間を形成するための一体のあるいは別体のスペーサを備え、前記封止手段が、前記スペーサの被加工面との当接端に張設された請求項１に記載の部分電解研磨治具。
【請求項３】
前記固定手段が、平面または曲平面の前記被加工面の被加工域近辺に吸着する吸着盤と、当該吸着盤を支持点として前記透明カバーを前記被加工面に押さえつける構成である請求項１に記載の部分電解研磨冶具。
【請求項４】
前記透明カバーが、円柱状の被加工面の軸方向に所定長さで、軸に直角方向の断面が被加工面の半周を被う形状の半裁カバーを２つ、被加工面の径方向両側から、相互に液密性を保って付き合わせて形成され、
前記封止手段が、前記半裁カバーの軸方向端縁と被加工面との間及び半裁カバーの端縁相互に形成され、
前記固定手段が、半裁カバーの周方向端部に径方向に立ち上げられたフランジと、前記２つ半裁カバーを付き合わせた状態の、２つのフランジを相互に締め付ける構成である請求項１に記載の部分研磨治具。
【発明の詳細な説明】
【技術分野】
【０００１】
本発明は、電解研磨あるいは電解鍍金に関し、特に、面積の広い壁面や長尺の管の周面の研磨あるいは鍍金に関するものである。
【背景技術】
【０００２】
ビール等の食品備蓄タンク、あるいは化学プラント等の薬品備蓄タンク等、面積の広い内壁面を持つタンクは、予め部材ごとに物理研磨あるいは電解研磨して、新設のタンクとして組み上げられることになる。
【０００３】
ところが、タンクの内壁面に経年によって錆び、汚れが発生することがあり、この場合、タンク等の内面を補修できれば寿命を延ばすことができるが、補修できない場合があり、そのタンクを廃棄して、新設を余儀なくされることがある。
【０００４】
タンク内面を補修する方法としては、タンクに人が入って、バフ研磨等の物理研磨をすることが考えられるが、より精度の高い研磨を必要とするときは、電解研磨をする必要がある。しかしながら、電解研磨を用いることは、被加工面との間に電解液を充填する必要上多くの技術的な問題がある。従って、既設のタンクの内面を補修する手段としてとして電解研磨を使用することはできなかった。
【０００５】
また、上記のようなタンクの研磨補修時には、タンクの内外側に多数配設されたパイプの補修（パイプ外周面の研磨）の必要性も発生するが、複雑に入り組んだ上記パイプの外周面を電解研磨することは、上記と同様、被加工面との間に電解液を充填する必要上困難であった。
【０００６】
以上、大型のタンクの内面の補修について説明したが、この問題はタンクの内面だけでなく、既設のプラントや建造物で金属部分の補修が必要な場合のすべての問題である。
【先行技術文献】
【特許文献】
【０００７】
【特許文献１】特許５１９００１２号公報
【発明の概要】
【発明が解決しようとする課題】
【０００８】
大型のタンクの内面の経年による錆びや汚れをとる試みは、本願出願人による特許５１９００１２号公報に開示されているが、ここで開示されている技術は、はなはだ大掛かりな構造で、組み立てに多大の時間を要する欠点があり、また、タンクの内面だけにしか適用できない技術であった。同じ公報で、タンク内面を部分的に研磨する電解浴槽も開示されているが、電解浴槽を被加工面と対向する面との間で支える必要があり、組み立て作業に時間を要し、また、前記対向する面がない場合例えば、ビルの外壁の研磨をする場合等には適用できない。
【０００９】
更に、特許５１９００１２号公報に開示の内容では、平面だけが対象となり、パイプのような円柱状の構造物には対応できない欠点がある。
【００１０】
更に、電解研磨、あるいは電解鍍金は、作業中に泡が発生し、この泡の発生は研磨あるいは鍍金の品質を著しく低下せしめるが、前記従来技術ではこの問題に配慮されていない。
【００１１】
本発明は上記従来の事情に鑑みて提案されたものであって、組み立てが簡単で、平面あるは曲平面だけでなく、円柱状の外周面、たとえば、複雑な形状に屈曲されて施工された配管の外周面をも研磨できる研磨冶具を提示することを目的とするものである。
【課題を解決するための手段】
【００１２】
本発明は、以下の構成要素よりなる。
【００１３】
被加工面を覆う形状の透明カバーが被加工面を覆って、電解液空間形成する。前記透明カバーの周縁と被加工面との間は封止手段で液密に封止する。網状の電極（網電極）が前記電解液空間に当該透明カバーおよび被加工面との間に間隙を保って配設され、また、網状の絶縁板が前記電極の被加工面側に配設される。電解液注入口および排出口が前記透明カバーのいずれかの位置に設けられ、更に、通気口が外気と連通するように前記透明カバーに設けられる。この透明カバーは固定手段で被加工面に固定される。
【００１４】
前記固定手段は、平面または曲平面の前記被加工面の被加工域近辺に吸着する吸着盤を利用することができる。
【００１５】
本発明は、配管等の円柱状の設備にも適用することができる。
【００１６】
この場合、前記透明カバーが、円柱状の被加工面の軸方向に所定長さで、軸に直角方向の断面が被加工面の半周を被う形状の半裁カバーを２つ、被加工面の径方向両側から、相互に液密性を保って付き合わせて形成され、電解液空間が被加工面と透明カバーとの間に形成される。この場合前記封止手段は、前記半裁カバーの軸方向端縁と被加工面との間及び半裁カバーの端縁相互に形成される。また、前記固定手段は、半裁カバーの周方向端部に径方向にフランジを立ち上げ、前記２つ半裁カバーを付き合わせた状態の、２つのフランジを相互に締め付ける構成となる。
【発明の効果】
【００１７】
上記構成により、補修が必要な面に簡単に透明カバーを固定して、電解液空間を形成できるので、既設の設備の研磨補修が必要な部分を簡単にかつ精度よく補修することができる。更に、網電極の採用により泡の発生による障害を緩和することができ、大電流を流すころができ、更に、絶縁網の採用により電極間を狭くしてもスパーク事故を起こすことなく、前記大電流を流すことによる障害の発生をなくすことができる。
【図面の簡単な説明】
【００１８】
【図１】図１は本発明の実施の形態を示す正面斜視図。
【図２】図２は本発明の実施の形態を示す裏面斜視図。
【図３】図３は図１のＡ−Ａ断面図。
【図４】図４は本発明に使用する固定治具の１実施形態を示す斜視図。
【図５】図５は本発明の別の実施形態を示す斜視図。
【図６】図６は図５の断面図。
【図７】図７は本発明の更に別の実施例を示す斜視図。
【図８】図８は本発明の更に別の実施例を示す斜視図。
【発明を実施するための形態】
【００１９】
＜電解液空間＞
図１〜図３は被処加工面としての大型タンク内面等の曲平面に電解液空間を形成する電解研磨冶具を示す図であり、図１は正面斜視図、図２は裏面斜視図。図３は図１のＡ−Ａ断面図である。
【００２０】
タンク１０（図３参照）の内面形状に沿った形状の透明カバー２０を当該タンク１０の内面との間に所定間隔を保って液密に固定して、電解液空間１００が形成される。透明カバー２０は、平板２１の四方の端縁に、タンク１０の内周面と前記平板２１との間に所定の間隔（例えば１〜３ｃｍ程度）を確保して、前記電解液空間１００を形成するためのスペーサ２２が設けられる。当該スペーサ２２は、前記平板２１の周縁を平板２１と直角方向に屈曲させて一体に形成してもよいし、あるいは、平板２１の周縁に前記所定間隔に対応する高さの枠体を貼り付ける構成としてもよい。当該スペーサ２２の前記タンク１０の内面と接する側に、被加工面との液密性を確保する封止材２６が張設される。
【００２１】
上記透明カバー２０の内側（電解液空間内）に沿って、透明カバー２０との間に、電解処理中に発生する泡の上昇空間となる所定の間隙２５を保って網電極２３が張設される。更に、前記網電極２３の内側（被加工面側）に絶縁網２４が張設され、前記網電極２３と被処理面との接触が防止される。尚、図３中、網電極２３と絶縁網２４を板体２１に固定しているビスは、導電性を持たないプラスチックビスであり、当然のことながら、平板２１とビスの間の液密性は確保されている。
【００２２】
前記電解液空間１００の下側のスペーサ２２には以下に説明する電解液を抜くための排出口２７が設けられ、上側のスペーサ２２には、電解中に発生するガスを抜くためのガス抜き口２８が、所定間隔で複数設けられ、その内のいずれかが、電解液を注入するための注入口として利用される。
【００２３】
前記透明カバー２０とは別に、図４に示すように当該透明カバー２０を被加工面に固定するための固定治具（固定手段）３０が用意される。固定治具３０のアンカーとしては、真空パッド３１等の吸着盤が最適であり、後述するように、被加工面の周辺に固定された前記真空パッド３１から支柱３２を立ち上げて、当該支柱３２の所定の高さの位置から水平にビーム３３の基端部を固定しておき、当該ビーム３３の先端部から前記支柱３２と逆方向（被加工面方向）に、前記透明カバー２０の周縁部を被加工面に押さえ込む（後述）、押さえ棒３４を螺着する構成としている。
【００２４】
被加工面が磁性体である場合は、前記真空パッド３１に代えて、吸着盤として永久磁石あるいは電磁石を使用することもできる。
【００２５】
上記のように透明カバー２０と固定治具３０を用意しておき、以下のようにして電解液空間を形成する。対象となる被加工面に前記透明カバー２０を配置しておき、その周囲に固定治具３０を前記真空パッド３１を利用して必要な数固定する。次いで、前記各固定治具３０の押さえ棒３４を螺進させて、その先端で透明カバー２０の周縁を押さえることによって、透明カバー２０が被加工面との液密性を保って固定されることになる。
【００２６】
この状態で、前記排出口２７を閉じ、注入口２８から電解液を供給し、網電極２３と被加工面との間に、電解研磨に適した極性の電圧を掛け、適正な電流を流すことによって、被加工面は電解研磨されることになる。
【００２７】
ここで、電解研磨中に泡が発生すると、電解研磨の品質を低下する。この問題を緩和すべく、本発明では、上記したように電極として数ｍｍ程度の大きさの網電極２３を用いている。更に、発生した泡は自然に電解液空間を上昇するように、平板２１と電極２３との間には数ｍｍ程度の間隔が設けられる。また、大量の泡が発生するときは、電解液の劣化を意味することになり、前記透明カバー２０は、この状態が発生したかどうかの確認を可能にする。上記の構成では網電極２３と被加工面との距離は５ｍｍ〜２０ｍｍ程度にすることが可能である。このように、網電極２３と被加工面との距離がこのように小さくなると、多くの電流を流すことが可能になり、処理は早くできることになるが、逆に熱による電極２３の撓みが発生し、電極２３と被加工面とが異常に近づいたり、あるいは接触してスパークを発生するおそれがある。そこで、前記網電極２３の被加工面側には絶縁網２４が配設される。
【００２８】
電解処理中に泡は常時多少は発生しているが、それが電解処理に仕上がりに影響が出ない程度であれば、許容できることになり、その許容度を広げる意味で、前記したように網電極２３の平板２１側に間隙が設けられている。
【００２９】
ただし、電解処理の仕上がりに影響がでる程の泡が発生すると、電解処理を止め、排出口２７をあけて電解液を排出して、新しい電解液を充填する。あるいは、電解液を排出口２７から抜きながら新しい電解液を供給する循環をすることで、泡の発生を抑えることができる。電解処理中の泡の発生状態を目視できるように、透明カバー２０が使用されている。
【００３０】
上記固定手段としては、どのような構造のものも適用できるが、被加工面側に吸着する吸着盤を使用することによって、被加工域の近傍に固定手段を配置
することができ、電解液空間の形成が極めて容易になる。
【００３１】
前記透明カバーに対応する領域の電解研磨が終了すると、次の領域へと透明カバーを移動させることを繰り返して、対象設備全体を研磨・補修することができる。
【００３２】
＜円柱体の研磨治具１＞
以上、平面状の被処理面に適用する透明カバー２０と固定治具３０について説明したが、本発明は、円柱状の面に対しても適用できる。例えば、大型のタンク１０の内部には、必要な液を供給するための、あるいは、加熱・冷却時に熱媒・冷媒を流すための配管が敷設されている。上記のようにタンク１０の内壁面を電解研磨して補修できたとしても、敷設された配管の外周面は未補修のまま残ることになる。
【００３３】
図５、図６は、直円柱型（あるは多少湾曲した配管も含む）の配管１１０に本発明を適用した場合の研磨治具の実施形態を示すものである。
【００３４】
被加工面となる配管１１０より径の大きな、両端が蓋された透明のパイプを軸方向に半分に裁断した（以下半裁という）した形状の半裁カバー２１０を、径方向の両側から付き合わせて電解液空間１００を形成することになる。
【００３５】
前記半裁カバー２１０の軸方向端部の蓋体には加工対象の配管１１０の径に符合する半円の挿通孔２２１が設けられて、配管１１０との間隔を確保するスペーサ２２２が形成される。当該スペーサ２２２の加工対象配管と接する端部に封止材２６が張設されることはもちろんである。更に、半裁カバー２１０の周方向端部には径方向外側にフランジ２３１が立ち上げられた構成となっている。
【００３６】
この半裁カバー２１０の内側には、被加工面から所定の間隙を保つように半円筒状の網電極２２３が配置され、更にその内側には網状で半円筒状の絶縁板２２４が配置されている。この半裁カバー２１０を前記網電極２２３と絶縁網２２４とともに、被加工面（加工対象配管）１１０の径方向の一方側と他方側から２つ付き合わせて、前記フランジ２３１を利用して相互に液密に、かつ、被加工面との液密性を確保して被加工面を覆うようにビス等で固定して透明カバー２０を構成する。これによって透明カバー２０と被加工面との間で電解液空間１００が形成されることになる。
【００３７】
この実施の形態では、前記フランジ２３１とビスが固定手段を構成することになる。当然のことながら、このとき、前記２つの半裁カバー２１０内面に配設された網電極２３と絶縁網２４は、円筒状となり、被加工面全体を覆うことになる。
【００３８】
また、前記半裁カバー２１０相互の液密性を確保するために半裁カバー２１０相互が当接する面（半裁したときの裁断面（前記フランジ２３１を含む））には封止材２６が張設される。
【００３９】
電解液を抜くための排出口２７と電解液を注入するための注入口２８は、いずれかの一方の半裁カバー２１０に設けられるが、排出口２７が下側、注入口２８が上側に位置するように被加工面に固定される。
【００４０】
尚、この電解治具は、配管が小さな曲率を持つときは、当該配管の曲率に符合する曲率の透明のパイプを使用することで対応することができ、直線状の配管に限定されるものではない。
【００４１】
透明のパイプとしては図面上、円筒状のパイプが用いられているが、軸に直角方向の断面が被加工面の半周を被う形状であれば、どのような形状（例えば断面四角）であってもよい。
【００４２】
＜円柱体の研磨治具２＞
図７は１８０度Ｕ字状に屈曲する配管１１０のＵ字部を研磨する研磨治具を示すものである。
【００４３】
配管１１０のＵ形状の湾曲部の内円と外円に符合した内周面と外周面を有し、当該内周面と外周面をＵ字の表裏から蓋した形状のパイプであって、軸方向の両端が蓋された断面四角の透明パイプが用意される。当該透明パイプを軸方向（Ｕ字の面方向）に半裁した形状の半裁カバー２１０を径方向両側（Ｕ字の表裏）から２つ付き合わせて透明カバー２０となし、電解液空間１００を形成することになる。
【００４４】
もっとも、前記透明パイプは配管１１０のＵ形状に符合する断面が円形状のパイプであってもよい。
【００４５】
前記半裁カバー２１０の軸方向端部の蓋体には加工対象の配管１１０の径に符合する半円の挿通孔２２１が設けられて、配管１１０との間隔を確保するスペーサ２２２が形成される。Ｕ字の軸方向一方端と他方端は同じ面となるので、両端に設けられる前記スペーサ２２２も同一面に設けられる。また、半裁カバー２１０のＵ字の外周面であって、半裁したときの断面端に径方向外側に向けてのフランジ２３７が形成される。スペーサ２２２の挿通孔２２１の加工対象配管と接する端部に封止材２６が張設され、また、半裁カバー２１０が付き合わされる相互の面（前記フランジ２３７を含む）にも封止材２６が張設もることはもちろんである。
【００４６】
更に、Ｕ字の配管１１０の形状に符合する軸方向に半分の網電極２３とその内側に配置される絶縁網２４が前記半裁カバー２１０の内面に配設される。網電極２３は、前記半裁カバー２１０との間に所定の間隙を持って配設されることは図１〜図３に示した場合と同様である。この状態で、２つの半裁カバー２１０がＵ字の配管の径方向両側（Ｕ字の表裏）から付き合わされ、フランジ２２２を利用して相互に液密に、かつ配管２１０との液密性を保ってネジ止めされ透明カバー２０が形成される。これによって、網電極２３が被加工面と所定の距離を保って絶縁網２４を挟んだ状態の電解液空間１００が形成されることになる。当然のことながら、注入口２８が上側、排出口２７が下側に位置するように設けられる。
【００４７】
＜円柱体の研磨治具３＞
図８は配管のＴ字に直交した部分を研磨する研磨治具を示すものである。
【００４８】
配管１１０のＴ字形状に符合し、四方が蓋された断面四角の透明の箱体を軸方向（Ｔ字の面方向）に半裁した形状の半裁カバー２１０を径方向両側（Ｔ字の表裏）から２つ付き合わせて透明カバー２０となし、電解液空間１００を形成することになる。
【００４９】
前記半裁カバー２１０を付き合せて、下記のように電解液空間１００を形成したときに、Ｔ字の配管２１０と干渉する直交する２方の面に、配管の径に対応する径の半円である挿通孔２２１を設けて、当該面をスペーサ２２２とする。更に、前記半裁したときの裁断面に対応して外側にフランジ２３１を張り出して、半裁カバー２１０を構成する。また前記挿通孔２２１の端面、及びフランジ２３１を含む半裁したときの断面に封止材２６を張設する。
【００５０】
配管１１０の直交形状に符合するとともに、軸方向（Ｔ字の面に平行な方向）に半分にした網電極２３とその内側に配設される絶縁網２４が前記半裁カバー２１０内に配設される。このとき、半裁カバー２１０と網電極２３との間に電解作業時に発生する泡の上昇をスムーズにする間隙が設けられる。
【００５１】
このように、網電極２３と絶縁網２４を配設した状態の２つの半裁カバー２１０を配管１１０の径方向の両側（Ｔ字の上下両側）から付きあわせてフランジ２３１部分を利用してビス等で固定することによって透明カバー２０が構成される。これによって、網電極２３が絶縁網２４を挟んで被加工面と所定の距離を保った状態の電解液空間１００が形成されることになる。この場合も、排出口２７が下側、注入口（ガス抜き口）２８が上側に形成される。
【００５２】
以上説明した円柱体の研磨治具１、２、３を用いて配管を部分ごと研磨する作業を順次進めることによって、設備全体の研磨・補修をすることが可能となる。
【００５３】
以上説明したように、本発明はタンク等の建造物の部分であっても容易に研磨（鍍金）することが出来るので、大型タンクの内面、建造物の金属がむき出しになっている金属の表面等を補修することができる。
【産業上の利用可能性】
【００５４】
本発明は、既設の設備や建造物の表面を簡単に補修できるので産業上の利用可能性は極めて高い。
【符号の説明】
【００５５】
２０・・透明カバー
２３・・網電極
２４・・絶縁板
２５・・間隙
２６・・封止材
２７・・排出口
２８・・液注入口（通気口）
３０・・固定治具
３１・・吸着盤
１００・・電解液空間
２１０・・半裁カバー
２３１・・フランジ
【図１】
2015127439.tif 000003
【図２】
2015127439.tif 000004
【図３】
2015127439.tif 000005
【図４】
2015127439.tif 000006
【図５】
2015127439.tif 000007
【図６】
2015127439.tif 000008
【図７】
2015127439.tif 000009
【図８】
2015127439.tif 000010